(57)【要約】【課題】ユーザにとって利便性の良い入力装置及び入力方法を提供することを目的とする。【解決手段】タッチ種別判断部２３は、タッチパネル型ディスプレイ１０へのタッチ操作が指Ｘによるものであるか、スタイラスペンＹによるものであるかを判断する。指Ｘによるものであると判断された場合、表示制御部２６は、タッチパネル型ディスプレイ１０が指Ｘによって押下されたときの押下領域の面積に基づいて、入力対象情報の表示のスクロール速度を制御する。従って、ユーザは、タッチパネル型ディスプレイ１０の押下領域の面積を変化させることによって入力対象情報の表示のスクロール速度を変化させることができる。【選択図】図１
2013196142.tif 000002
【特許請求の範囲】
【請求項１】
入力対象情報を表示すると共にタッチ操作による入力を受け付けるタッチパネル型ディスプレイと、
前記タッチ操作によって前記タッチパネル型ディスプレイが押下されたときの押下領域の面積を算出する押下面積算出手段と、
前記タッチ操作が、指、及び、入力具のいずれによるものであるかを判断するタッチ種別判断手段と、
前記タッチ種別判断手段によって前記タッチ操作が指によるものであると判断された場合、前記押下面積算出手段で算出された押下領域の面積に基づいて、前記タッチ操作が継続している間、前記タッチパネル型ディスプレイにおいて所定の順序で順次表示する複数の前記入力対象情報の表示の切り替え速度を制御する切替速度制御手段と、
を備える入力装置。
【請求項２】
前記タッチ種別判断手段は、前記押下面積算出手段によって算出された面積が所定の閾値以上の場合に前記タッチ操作が指によって行われたものであると判断し、前記押下面積算出手段によって算出された面積が所定の閾値未満の場合に前記タッチ操作が入力具によって行われたものであると判断する、請求項１に記載の入力装置。
【請求項３】
前記タッチ操作によって前記タッチパネル型ディスプレイが押下されたときの押下の中心位置を算出する押下中心位置算出手段を、更に備え、
前記押下面積算出手段は、前記タッチ操作が継続している間における前記押下領域の最大径を算出し、
前記切替速度制御手段は、前記押下中心位置算出手段で算出された前記押下の中心位置を円の中心とすると共に、前記押下面積算出手段で算出された最大径に基づく長さを円の直径とする論理円を算出し、前記論理円と前記押下面積算出手段で算出された押下領域の面積との割合に基づいて、前記入力対象情報の表示の切り替え速度を制御する、
請求項１又は２に記載の入力装置。
【請求項４】
前記押下面積算出手段は、指先でタッチ操作が行われたときの押下領域の面積を示す指先押下面積と、指の腹でタッチ操作が行われたときの押下領域の面積を示す指腹押下面積とを算出し、
前記切替速度制御手段は、前記指先押下面積から前記指腹押下面積までの各面積値を予め定められた条件に従ってグループ分けを行うと共にグループ毎に予め定められた所定の速度をそれぞれ対応付け、前記押下面積算出手段で算出された押下領域の面積と面積値のグループ毎に対応付けられた所定の速度とに基づいて、前記入力対象情報の表示の切り替え速度を制御する、
請求項１又は２に記載の入力装置。
【請求項５】
前記タッチ操作によって前記タッチパネル型ディスプレイが押下されたときの押下の圧力を算出する押下圧力算出手段を、更に備え、
前記切替速度制御手段は、前記タッチ種別判断手段によって前記タッチ操作が入力具によるものであると判断された場合、前記押下圧力算出手段で算出された押下の圧力に基づいて、前記入力対象情報の表示の切り替え速度を制御する、
請求項１〜４のいずれか一項に記載の入力装置。
【請求項６】
入力対象情報を表示すると共にタッチ操作による入力を受け付けるタッチパネル型ディスプレイを備える入力装置において行われる入力方法であって、
前記タッチ操作によって前記タッチパネル型ディスプレイが押下されたときの押下領域の面積を算出する押下面積算出ステップと、
前記タッチ操作が、指、及び、入力具のいずれによるものであるかを判断するタッチ種別判断ステップと、
前記タッチ種別判断ステップにおいて前記タッチ操作が指によるものであると判断された場合、前記押下面積算出ステップで算出された押下領域の面積に基づいて、前記タッチ操作が継続している間、前記タッチパネル型ディスプレイにおいて所定の順序で順次表示する複数の前記入力対象情報の表示の切り替え速度を制御する切替速度制御ステップと、
を含む入力方法。
【発明の詳細な説明】
【技術分野】
【０００１】
本発明は、タッチパネル型ディスプレイを備える入力装置及び入力方法に関する。
【背景技術】
【０００２】
従来、タッチパネル型ディスプレイを用いた携帯端末において、文字入力を行う場合、ディスプレイ上の仮想キーボードを使用した入力方式が主流となっている。この仮想キーボードを使用した文字の入力方式として、例えば、ＱＷＥＲＴＹキーボード入力方式、２タッチ入力方式、フリック入力方式、及び、Ｔ９入力方式等がある。
【０００３】
また、タッチパネル型ディスプレイ上に、入力対象となる文字等を順次切り替えて表示する入力方式がある。この場合、表示された文字等をユーザがタッチ操作を行うことによって選択する。ここで、入力対象となる文字等を順次切り替えて表示する場合、表示の切り替えの速度（スクロール速度）を変化させたいという要望がある。例えば、特許文献１には、タッチ操作の押下圧力に応じてスクロール速度を変化させる構成が開示されている。また、特許文献２には、スクロールボタンの連続押下時間に応じてスクロール速度を変化させる構成が開示されている。
【先行技術文献】
【特許文献】
【０００４】
【特許文献１】特開２００２−２１３９８９号公報
【特許文献２】特開２００７−２４０８８９号公報
【発明の概要】
【発明が解決しようとする課題】
【０００５】
タッチパネル型ディスプレイ上に、入力対象となる文字等を順次切り替えて表示する入力方式において、表示の切り替え速度の変更を、ユーザにとってより使い易い方法によって行うことが求められている。
【０００６】
そこで本発明は、ユーザにとって利便性の良い入力装置及び入力方法を提供することを目的とする。
【課題を解決するための手段】
【０００７】
本発明に係る入力装置は、入力対象情報を表示すると共にタッチ操作による入力を受け付けるタッチパネル型ディスプレイと、タッチ操作によってタッチパネル型ディスプレイが押下されたときの押下領域の面積を算出する押下面積算出手段と、タッチ操作が、指、及び、入力具のいずれによるものであるかを判断するタッチ種別判断手段と、タッチ種別判断手段によってタッチ操作が指によるものであると判断された場合、押下面積算出手段で算出された押下領域の面積に基づいて、前記タッチ操作が継続している間、タッチパネル型ディスプレイにおいて所定の順序で順次表示する複数の入力対象情報の表示の切り替え速度を制御する切替速度制御手段と、を備える。
【０００８】
また、本発明に係る入力方法は、入力対象情報を表示すると共にタッチ操作による入力を受け付けるタッチパネル型ディスプレイを備える入力装置において行われる入力方法であって、タッチ操作によってタッチパネル型ディスプレイが押下されたときの押下領域の面積を算出する押下面積算出ステップと、タッチ操作が、指、及び、入力具のいずれによるものであるかを判断するタッチ種別判断ステップと、タッチ種別判断ステップにおいてタッチ操作が指によるものであると判断された場合、押下面積算出ステップで算出された押下領域の面積に基づいて、前記タッチ操作が継続している間、タッチパネル型ディスプレイにおいて所定の順序で順次表示する複数の入力対象情報の表示の切り替え速度を制御する切替速度制御ステップと、を含む。
【０００９】
これらの発明では、タッチ操作が指によるものであると判断された場合、タッチパネル型ディスプレイの押下領域の面積に基づいて、入力対象情報の表示の切り替え速度が制御される。従って、ユーザは、タッチパネル型ディスプレイの押下領域の面積を変化させることによって入力対象情報の表示の切り替え速度を変化させることができ、利便性が向上する。
【００１０】
また、タッチ種別判断手段は、押下面積算出手段によって算出された面積が所定の閾値以上の場合にタッチ操作が指によって行われたものであると判断し、押下面積算出手段によって算出された面積が所定の閾値未満の場合にタッチ操作が入力具によって行われたものであると判断する、ことが好ましい。この場合には、タッチパネル型ディスプレイの押下領域の面積に基づいて、タッチ操作が指で行われたものであるか、又は、入力具で行われたものであるかを容易に判断することができる。
【００１１】
また、タッチ操作によってタッチパネル型ディスプレイが押下されたときの押下の中心位置を算出する押下中心位置算出手段を、更に備え、押下面積算出手段は、前記タッチ操作が継続している間における押下面積の最大径を算出し、切替速度制御手段は、押下中心位置算出手段で算出された押下の中心位置を円の中心とすると共に、押下面積算出手段で算出された最大径に基づく長さを円の直径とする論理円を算出し、論理円と押下面積算出手段で算出された押下領域の面積との割合に基づいて、入力対象情報の表示の切り替え速度を制御する、ことが好ましい。この場合には、ユーザの指の大きさによる、表示の切り替え速度の差異の発生を抑制することができる。
【００１２】
また、押下面積算出手段は、指先でタッチ操作が行われたときの押下領域の面積を示す指先押下面積と、指の腹でタッチ操作が行われたときの押下領域の面積を示す指腹押下面積とを算出し、切替速度制御手段は、指先押下面積から指腹押下面積までの各面積値を予め定められた条件に従ってグループ分けを行うと共にグループ毎に予め定められた所定の速度をそれぞれ対応付け、押下面積算出手段で算出された押下領域の面積と面積値のグループ毎に対応付けられた所定の速度とに基づいて、入力対象情報の表示の切り替え速度を制御する、ことが好ましい。この場合には、ユーザの指の大きさによる、表示の切り替え速度の差異の発生を抑制することができる。
【００１３】
また、タッチ操作によってタッチパネル型ディスプレイが押下されたときの押下の圧力を算出する押下圧力算出手段を、更に備え、切替速度制御手段は、タッチ種別判断手段によってタッチ操作が入力具によるものであると判断された場合、押下圧力算出手段で算出された押下の圧力に基づいて、入力対象情報の表示の切り替え速度を制御する、ことが好ましい。この場合には、入力具によるタッチパネル型ディスプレイへの押下の圧力に基づいて表示が切り替えられ、入力具による押下であっても入力具の特性に応じて表示の切り替えを好適に行うことができる。
【発明の効果】
【００１４】
本発明によれば、ユーザにとって利便性の良い入力装置及び入力方法を提供することができる。
【図面の簡単な説明】
【００１５】
【図１】第１実施形態に係る携帯端末の全体構成を示す図である。
【図２】タッチパネル型ディスプレイの表示画像例を示す図である。
【図３】論理円に対する押下領域の面積とスクロール速度との関係を示す図である。
【図４】入力対象情報の入力処理の流れを示すフローチャートである。
【図５】第２実施形態に係る携帯端末の全体構成を示す図である。
【図６】面積値のグループ毎に予め定められた所定のスクロール速度をそれぞれ対応付けた対応テーブルを示す図である。
【図７】入力対象情報の入力処理の流れを示すフローチャートである。
【発明を実施するための形態】
【００１６】
添付図面を参照しながら本発明に係る入力装置及び入力方法を携帯端末に適用した実施形態を説明する。
【００１７】
（第１実施形態）
まず、第１実施形態について説明する。図１に示すように、携帯端末１は、タッチパネル型ディスプレイ１０と、入力文字処理部２０とを含んで構成される。なお、携帯端末１は、機能部の図示は省略するが、通話やメールの送受信等を行う機能を有する。以下では、タッチパネル型ディスプレイ１０及び入力文字処理部２０を用いて、ユーザが文字やマーク等の入力対象情報を入力する場合について説明する。ユーザによって入力された文字等は、例えば、メールの文章の作成等に用いられる。
【００１８】
タッチパネル型ディスプレイ１０は、ユーザが入力対象情報を入力する際に、入力の対象となる入力対象情報を表示する。また、タッチパネル型ディスプレイ１０は、ユーザの指Ｘ又はスタイラスペン（入力具）Ｙによるタッチ操作を検出することができる。具体的には、タッチパネル型ディスプレイ１０は、指Ｘ又はスタイラスペンＹによるタッチ操作によって押下されたときの押下領域に対応する押下領域信号を入力文字処理部２０へ出力する。また、指Ｘ又はスタイラスペンＹによるタッチ操作によって押下されたときの押下の圧力に対応する押下圧力信号を入力文字処理部２０へ出力する。
【００１９】
ここで、ユーザが入力対象情報を選択する処理について説明する。ユーザが指Ｘ又はスタイラスペンＹによってタッチパネル型ディスプレイ１０のターゲット位置Ｚを長押しすることにより、タッチパネル型ディスプレイ１０には、ターゲット位置Ｚの押下の間、入力対象情報が所定の順序で順次スクロール表示される。例えば、入力対象情報の文字種別として５０音が選択されている場合、図２に示すように、タッチパネル型ディスプレイ１０には「あ」〜「ん」の文字が縦方向に上から下へスクロール移動するように表示される。また、ターゲット位置Ｚは、タッチパネル型ディスプレイ１０に表示される入力対象情報において縦方向の中央位置を例えば四角形の枠で囲んだ枠内となっている。また、文字種別として、５０音以外にも、例えば、英文字、数字、記号等がある。なお、例えば、ユーザが指Ｘ又はスタイラスペンＹによってタッチパネル型ディスプレイ１０上で横方向にスライド操作を行うことにより、文字種別の切り替えを行う。
【００２０】
ユーザは、入力したい入力対象情報がターゲット位置Ｚに来た時に、タッチパネル型ディスプレイ１０のターゲット位置Ｚから指Ｘ又はスタイラスペンＹを離す。これにより、ターゲット位置Ｚに表示された入力対象情報が入力文字として選択される。このように、ユーザは、タッチパネル型ディスプレイ１０のターゲット位置Ｚを長押しする動作と、タッチパネル型ディスプレイ１０から指Ｘ又はスタイラスペンＹを離す動作とを行うことにより入力対象情報の入力を行うことができる。また、図２に示すように、スクロール表示される入力対象情報の横の位置に、スクロール速度Ｗを表示してもよい。
【００２１】
入力文字処理部２０は、入力文字受付部２１、押下面積算出部（押下面積算出手段）２２、タッチ種別判断部（タッチ種別判断手段）２３、押下圧力算出部（押下圧力算出手段）２４、押下中心位置算出部（押下中心位置算出手段）２５、及び、表示制御部（切替速度制御手段）２６を含んで構成される。
【００２２】
入力文字受付部２１は、タッチパネル型ディスプレイ１０を通じてユーザが選択した入力対象情報を受け付ける。入力文字受付部２１によって受け付けられた入力対象情報は、メールの文章作成等に用いられる。
【００２３】
押下面積算出部２２は、タッチパネル型ディスプレイ１０から出力された押下領域信号に基づいて、指Ｘ又はスタイラスペンＹによるタッチ操作によってタッチパネル型ディスプレイ１０が押下（長押し）されたときの押下領域の面積を算出する。また、押下面積算出部２２は、タッチパネル型ディスプレイ１０が押下（長押し）されているときの押下領域の最大径（最大幅）を算出する。
【００２４】
タッチ種別判断部２３は、タッチパネル型ディスプレイ１０へのタッチ操作が、指Ｘ、及び、スタイラスペンＹのいずれによるものであるかを判断する。より詳細には、タッチ種別判断部２３は、押下面積算出部２２によって算出された面積が所定の閾値α以上の場合にタッチ操作が指Ｘによって行われたものであると判断し、押下面積算出部２２によって算出された面積が所定の閾値α未満の場合にタッチ操作がスタイラスペンＹによって行われたものであると判断する。この所定の閾値αは、例えば、スタイラスペンＹによってタッチパネル型ディスプレイ１０が押下されたときの押下領域の面積と、指Ｘによってタッチパネル型ディスプレイ１０が押下されたときの押下領域の面積との間の値を設定する。
【００２５】
押下圧力算出部２４は、タッチ操作によってタッチパネル型ディスプレイ１０が押下されたときの押下の圧力を算出する。より詳細には、押下圧力算出部２４は、タッチパネル型ディスプレイ１０から出力された、押下の圧力に対応する押下圧力信号、及び、押下されたときの押下領域に対応する押下領域信号に基づいて押下の圧力を算出する。なお、押下圧力算出部２４は、押下領域内の測定点毎に押下の圧力を算出することもできる。
【００２６】
押下中心位置算出部２５は、タッチ操作によってタッチパネル型ディスプレイ１０が押下されたときの押下の中心位置を算出する。より詳細には、押下中心位置算出部２５は、押下圧力算出部２４によって算出された押下領域内の測定点毎の押下の圧力に基づいて、押下圧力が最大となる位置を押下の中心位置として算出する。
【００２７】
表示制御部２６は、タッチパネル型ディスプレイ１０に表示する入力対象情報の表示の制御や、スクロール速度の表示の制御を行う。表示制御部２６は、タッチ種別判断部２３によってタッチパネル型ディスプレイ１０へのタッチ操作が指Ｘによるものであると判断されている場合と、スタイラスペンＹによるものであると判断されている場合とで異なる処理により入力対象情報の表示のスクロール速度の制御を行う。
【００２８】
タッチ種別判断部２３によってタッチ操作が指Ｘによるものであると判断された場合、表示制御部２６は、押下面積算出部２２で算出された押下領域の面積に基づいて、タッチパネル型ディスプレイ１０に表示する入力対象情報の表示のスクロール速度を制御する。より詳細には、表示制御部２６は、まず、論理円を求める。この論理円は、押下中心位置算出部２５で算出された押下の中心位置を円の中心とする。また、押下面積算出部２２で算出された押下領域の最大径に所定数（ｎ）を乗算した値を円の直径Ｎとする。そして、表示制御部２６は、論理円と押下面積算出部２２で算出された押下領域の面積（長押しされたときの面積）との割合を１００分率で算出し、算出結果に基づいて入力対象情報のスクロール速度を制御する。このスクロール速度は、論理円に対するタッチパネル型ディスプレイ１０の押下領域の面積の割合が大きいほど、スクロール速度を早くする。また、表示制御部２６は、例えば、図３に示すように、論理円に対するタッチパネル型ディスプレイ１０の押下領域の面積の割合に応じて段階的にスクロール速度を決定する。
【００２９】
また、タッチ種別判断部２３によってタッチ操作がスタイラスペンＹによるものであると判断された場合、表示制御部２６は、押下圧力算出部２４で算出された押下の圧力に基づいて、タッチパネル型ディスプレイ１０に表示する入力対象情報の表示のスクロール速度を制御する。ここでは、スタイラスペンＹによる押下の圧力が強いほど、スクロール速度を早くする。また、押下の圧力に応じて段階的に変化するスクロール速度を決定してもよい。
【００３０】
次に、携帯端末１で行われる入力対象情報の入力処理の流れを説明する。入力対象情報を入力する場合、ユーザは、タッチパネル型ディスプレイ１０に入力しようとする文字種別（５０音、英文字等）を表示させる。入力しようとする文字種別と異なる入力対象情報が表示されている場合、ユーザは、前述のようにタッチパネル型ディスプレイ１０上で横方向にスライド操作を行い、文字種別の切り替えを行う。そしてユーザは、ターゲット位置Ｚを指Ｘ又はスタイラスペンＹによって長押しし、入力対象情報のスクロールを開始させる。
【００３１】
ユーザによる長押しが開始されると、図４に示すように、携帯端末１の押下面積算出部２２は、タッチパネル型ディスプレイ１０が押下されたときの押下領域の面積を算出する（ステップＳ１０１：押下面積算出ステップ）。
【００３２】
タッチ種別判断部２３は、押下面積算出部２２で算出された押下領域の面積に基づいて、タッチパネル型ディスプレイ１０へのタッチ操作が、指Ｘ、及び、スタイラスペンＹのいずれによるものであるかを判断する（ステップＳ１０２：タッチ種別判断ステップ）。タッチ種別判断部２３は、押下領域の面積が所定の閾値α以上の場合（ステップＳ１０２：ＹＥＳ）に、タッチ操作が指Ｘによって行われたものであると判断する（ステップＳ１０３：タッチ種別判断ステップ）。また、タッチ種別判断部２３は、押下面積算出部２２によって算出された面積が所定の閾値α未満の場合（ステップＳ１０２：ＮＯ）に、タッチ操作がスタイラスペンＹによって行われたものであると判断する（ステップＳ１１１：タッチ種別判断ステップ）。
【００３３】
タッチ操作が指Ｘによって行われたものであると判断された場合、押下中心位置算出部２５は、押下の中心位置を算出する（ステップＳ１０４）。表示制御部２６は、論理円の直径Ｎを算出する（ステップＳ１０５）。そして、表示制御部２６は、算出された押下の中心位置を円の中心位置とし、算出された直径Ｎを円の直径とする論理円を算出する（ステップＳ１０６）。
【００３４】
表示制御部２６は、論理円と押下面積算出部２２で算出された押下領域の面積との割合を算出する（ステップＳ１０７）。そして、表示制御部２６は、割合の算出結果に基づいて入力対象情報のスクロール速度を決定し、決定されたスクロール速度で入力対象情報のスクロールを制御する（ステップＳ１０８：切替速度制御ステップ）。また、表示制御部２６は、スクロール速度をタッチパネル型ディスプレイ１０に表示する。このステップＳ１０７及びステップＳ１０８の処理は、入力対象情報が決定されるまで、予め設定された等間隔の時間毎に繰り返し行われる。
【００３５】
次に、入力文字受付部２１は、ユーザによるターゲット位置Ｚの長押しが中止されたか否かの判断を行う（ステップＳ１０９）。ターゲット位置Ｚの長押しが中止された場合（ステップＳ１０９：ＹＥＳ）、入力文字受付部２１は、ターゲット位置Ｚの位置に表示されている入力対象情報を、ユーザが選択した文字として受け付ける（ステップＳ１１０）。ユーザによる長押しが継続している場合、長押しが中止されるまで、表示制御部２６による入力対象情報のスクロール表示を継続する。
【００３６】
また、タッチ種別判断部２３により、タッチ操作がスタイラスペンＹによって行われたものであると判断された場合（ステップＳ１１１）、表示制御部２６は、押下圧力算出部２４で算出された押下の圧力に基づいて、入力対象情報の表示のスクロール速度を制御する（ステップＳ１１２）。また、表示制御部２６は、スクロール速度をタッチパネル型ディスプレイ１０に表示する。
【００３７】
本実施形態は以上のように構成され、タッチパネル型ディスプレイ１０のターゲット位置Ｚへのタッチ操作が指Ｘによるものであると判断された場合、タッチパネル型ディスプレイ１０の押下領域の面積に基づいて、入力対象情報の表示のスクロール速度が制御される。従って、ユーザは、タッチパネル型ディスプレイ１０の押下領域の面積を変化させることによって入力対象情報の表示のスクロール速度を変化させることができ、入力対象情報を選択する際の利便性が向上する。
【００３８】
また、タッチ種別判断部２３が、タッチパネル型ディスプレイ１０の押下領域の面積に基づいて、タッチ操作が指Ｘで行われたものであるか、又は、スタイラスペンＹで行われたものであるかを判断することで、この判断を容易に行うことができる。
【００３９】
また、タッチ操作が指Ｘによるものであると判断された場合、表示制御部２６が論理円と押下領域の面積との割合に基づいて、入力対象情報の表示のスクロール速度を制御することにより、ユーザの指の大きさによる、表示の切り替え速度の差異の発生を抑制することができる。
【００４０】
また、タッチ操作がスタイラスペンＹによるものであると判断された場合、押下圧力算出部２４で算出された押下の圧力に基づいて、入力対象情報の表示のスクロール速度を制御することにより、スタイラスペンＹによる押下の場合であってもスタイラスペンＹの特性に応じて表示の切り替えを好適に行うことができる。
【００４１】
（第２実施形態）
次に、第２実施形態について説明する。なお、第２実施形態の説明において、第１実施形態と同様の構成要素には同一符号を付して詳細な説明を省略する。図５に示すように、携帯端末１Ａは、タッチパネル型ディスプレイ１０と、入力文字処理部２０Ａとを含んで構成される。入力文字処理部２０Ａは、入力文字受付部２１、押下面積算出部（押下面積算出手段）２２Ａ、タッチ種別判断部（タッチ種別判断手段）２３、押下圧力算出部（押下圧力算出手段）２４、及び、表示制御部（切替速度制御手段）２６Ａを含んで構成される。
【００４２】
押下面積算出部２２Ａは、タッチパネル型ディスプレイ１０から出力された押下領域信号に基づいて、指Ｘ又はスタイラスペンＹによるタッチ操作によってタッチパネル型ディスプレイ１０が押下（長押し）されたときの押下領域の面積を算出する。また、押下面積算出部２２Ａは、指Ｘの先端でタッチ操作が行われたときの押下領域の面積を示す指先押下面積Ｍａと、指Ｘの腹でタッチ操作が行われたときの押下領域の面積を示す指腹押下面積Ｍｚとを算出する。この指先押下面積と指腹押下面積とは、入力対象情報の初回の入力操作時等に、携帯端末１からユーザへ、タッチパネル型ディスプレイ１０への接触を指Ｘの先端で行うように指示を行うこと、及び、タッチパネル型ディスプレイ１０への接触を指Ｘの腹で行うように指示を行うことで算出する。
【００４３】
表示制御部２６Ａは、タッチパネル型ディスプレイ１０に表示する入力対象情報の表示の制御や、スクロール速度の表示の制御を行う。表示制御部２６Ａは、タッチ種別判断部２３によってタッチパネル型ディスプレイ１０へのタッチ操作が指Ｘによるものであると判断されている場合と、スタイラスペンＹによるものであると判断されている場合とで異なる処理により入力対象情報の表示のスクロール速度の制御を行う。
【００４４】
タッチ種別判断部２３によってタッチ操作が指Ｘによるものであると判断された場合、表示制御部２６Ａは、押下面積算出部２２Ａで算出された押下領域の面積に基づいて、タッチパネル型ディスプレイ１０に表示する入力対象情報の表示のスクロール速度を制御する。より詳細には、表示制御部２６Ａは、まず、押下面積算出部２２Ａで算出された指先押下面積Ｍａから指腹押下面積Ｍｚまでの各面積値を、予め定められた条件に従ってグループ分けを行う。本実施形態では、指先押下面積Ｍａから指腹押下面積Ｍｚまでの各面積値をＭ分割し、Ｍ個のグループを作成する。例えば、図６では、指先押下面積Ｍａから指腹押下面積Ｍｚまでの各面積値を４分割し、４つのグループに分けた例を示している。
【００４５】
そして、表示制御部２６Ａは、面積値のグループ毎に、予め定められた所定のスクロール速度をそれぞれ対応付けた対応テーブルを作成する。図６に示す例では、面積値が大きいほど早いスクロール速度を対応付ける。この対応テーブルは、入力対象情報の初回の入力操作時等に、一度だけ作成し、次回以降は初回の入力操作時等に作成した対応テーブルを用いることができる。
【００４６】
ユーザによる入力対象情報の選択のためにタッチパネル型ディスプレイ１０に入力対象情報をスクロール表示する場合、表示制御部２６Ａは、押下面積算出部２２Ａで算出された押下領域の面積（長押しされたときの面積）と、作成した対応テーブル（図６）とに基づいて、入力対象情報の表示のスクロール速度を決定する。これにより、押下面積算出部２２Ａで算出された押下領域の面積に応じて、段階的に変化する表示のスクロール速度が選択される。
【００４７】
また、タッチ種別判断部２３によってタッチ操作がスタイラスペンＹによるものであると判断された場合、表示制御部２６Ａは、押下圧力算出部２４で算出された押下の圧力に基づいて、タッチパネル型ディスプレイ１０に表示する入力対象情報の表示のスクロール速度を制御する。ここでは、スタイラスペンＹによる押下の圧力が強いほど、スクロール速度を早くする。また、押下の圧力に応じて段階的に変化するスクロール速度を決定してもよい。
【００４８】
次に、携帯端末１Ａで行われる入力対象情報の入力処理の流れを説明する。ユーザによる長押しが開始されると、図７に示すように、携帯端末１Ａの押下面積算出部２２Ａは、タッチパネル型ディスプレイ１０が押下されたときの押下領域の面積を算出する（ステップＳ２０１）。
【００４９】
タッチ種別判断部２３は、押下面積算出部２２Ａで算出された押下領域の面積に基づいて、タッチパネル型ディスプレイ１０へのタッチ操作が、指Ｘ、及び、スタイラスペンＹのいずれによるものであるかを判断する（ステップＳ２０２）。タッチ種別判断部２３は、押下領域の面積が所定の閾値α以上の場合（ステップＳ２０２：ＹＥＳ）に、タッチ操作が指Ｘによって行われたものであると判断する（ステップＳ２０３）。また、タッチ種別判断部２３は、押下面積算出部２２Ａによって算出された面積が所定の閾値α未満の場合（ステップＳ２０２：ＮＯ）に、タッチ操作がスタイラスペンＹによって行われたものであると判断する（ステップＳ２１０）。
【００５０】
タッチ操作が指Ｘによって行われたものであると判断された場合、押下面積算出部２２Ａは、指先押下面積Ｍａを算出し（ステップＳ２０４）、指腹押下面積Ｍｚを算出する（ステップＳ２０５）。そして、表示制御部２６Ａは、指先押下面積Ｍａから指腹押下面積Ｍｚまでの各面積値をグループ分けし、面積値のグループ毎に、予め定められた所定のスクロール速度をそれぞれ対応付けた対応テーブルを作成する（ステップＳ２０６）。なお、ステップＳ２０４〜Ｓ２０６の処理は、入力対象情報の初回の入力操作時等にのみ行われる。
【００５１】
表示制御部２６Ａは、対応テーブルと押下面積算出部２２Ａで算出された押下領域の面積とに基づいて、入力対象情報の表示のスクロール速度を決定し、決定されたスクロール速度で入力対象情報のスクロールを制御する（ステップＳ２０７）。また、表示制御部２６Ａは、スクロール速度をタッチパネル型ディスプレイ１０に表示する。このステップＳ２０７の処理は、入力対象情報が決定されるまで、予め設定された等間隔の時間毎に繰り返し行われる。
【００５２】
次に、入力文字受付部２１は、ユーザによるターゲット位置Ｚの長押しが中止されたか否かの判断を行う（ステップＳ２０８）。ターゲット位置Ｚの長押しが中止された場合（ステップＳ２０８：ＹＥＳ）、入力文字受付部２１は、ターゲット位置Ｚの位置に表示されている入力対象情報を、ユーザが選択した文字として受け付ける（ステップＳ２０９）。ユーザによる長押しが継続している場合、長押しが中止されるまで、表示制御部２６Ａによる入力対象情報のスクロール表示を継続する。
【００５３】
また、タッチ種別判断部２３により、タッチ操作がスタイラスペンＹによって行われたものであると判断された場合（ステップＳ２１０）、表示制御部２６Ａは、押下圧力算出部２４で算出された押下の圧力に基づいて、入力対象情報の表示のスクロール速度を制御する（ステップＳ２１１）。また、表示制御部２６Ａは、スクロール速度をタッチパネル型ディスプレイ１０に表示する。
【００５４】
本実施形態は以上のように構成され、タッチパネル型ディスプレイ１０のターゲット位置Ｚへのタッチ操作が指Ｘによるものであると判断された場合、タッチパネル型ディスプレイの押下領域の面積に基づいて、入力対象情報の表示のスクロール速度が制御される。従って、ユーザは、タッチパネル型ディスプレイ１０の押下領域の面積を変化させることによって入力対象情報の表示のスクロール速度を変化させることができ、入力対象情報を選択する際の利便性が向上する。
【００５５】
また、表示制御部２６Ａは、指先押下面積Ｍａから指腹押下面積Ｍｚまでの各面積値をグループ分けし、面積値のグループ毎に、予め定められた所定のスクロール速度をそれぞれ対応付けた対応テーブルを作成する。タッチ操作が指Ｘによるものであると判断された場合、表示制御部２６Ａが対応テーブルと押下領域の面積との割合に基づいて、入力対象情報の表示のスクロール速度を制御することにより、ユーザの指の大きさによる、表示の切り替え速度の差異の発生を抑制することができる。
【００５６】
以上、本発明を実施形態に基づき具体的に説明したが、本発明は上記実施形態に限定されるものではない。例えば、指Ｘ以外の入力具としてスタイラスペンＹを例に説明したが、スタイラスペンＹ以外の入力具を用いて入力対象情報の選択を行ってもよい。また、指Ｘによるタッチパネル型ディスプレイ１０の押下面積に基づいてスクロール速度を変化させる例として、第１実施形態のように論理円を用いる例や、第２実施形態のように指先押下面積や指腹押下面積を用いる例を示したが、指Ｘによるタッチパネル型ディスプレイ１０の押下面積に基づいていれば、これ以外の方法を用いてもよい。
【符号の説明】
【００５７】
１，１Ａ…携帯端末、１０…タッチパネル型ディスプレイ、２０，２０Ａ…入力文字処理部、２１…入力文字受付部、２２，２２Ａ…押下面積算出部（押下面積算出手段）、２３…タッチ種別判断部（タッチ種別判断手段）、２４…押下圧力算出部（押下圧力算出手段）、２５…押下中心位置算出部（押下中心位置算出手段）、２６，２６Ａ…表示制御部（切替速度制御手段）、Ｘ…指、Ｙ…スタイラスペン（入力具）。
【図１】
2013196142.tif 000003
【図２】
2013196142.tif 000004
【図３】
2013196142.tif 000005
【図４】
2013196142.tif 000006
【図５】
2013196142.tif 000007
【図６】
2013196142.tif 000008
【図７】
2013196142.tif 000009